(57)【要約】【課題】現場での梁への取付け作業を容易にすることができる取付け金物付き根太及び取付け金物付き床パネルを提供する。【解決手段】根太４が内部空洞の金属製で、端部側の底面部に開口部６とその両側のリップ部２４とを有し、開口部の根太長さ方向における根太端部の側とは反対の側の端部６ａが円弧状をしている。取付け金物２は、金物本体７と抜止め材８とボルト９を備え、根太４の開口部６の円弧状端部の縁部６ａを、金物本体７と抜止め材８とが挟み込んで仮固定状態にされており、金物本体７を根太端部の側に叩くことで仮固定状態が解除され、ボルト９で抜止め材８と金物本体７を更に引き寄せることで金物本体７と抜止め材８とがリップ部２４を挟み込んで本固定状態が形成されるようになされている。【選択図】      図１
2008150921.tif 000002
【特許請求の範囲】
【請求項１】
根太を梁に取り付ける取付け金物付きの根太であって、
根太は、内部空洞の金属製のものからなって、端部側の底面部に開口部を有すると共に、開口部の根太幅方向の両側部に内向きに張り出すリップ部を有し、
取付け金物は、
根太の下面側に配置され、根太との協働により梁を上下方向から挟んだ取付け状態にする金物本体と、
根太の内部に配置される抜止め材と、
金物本体と抜止め材を前記根太の開口部を通じて連結し、根太の下方からの操作が可能で、抜止め材と金物本体とを引き寄せ、抜止め材と金物本体とで根太の下面側の肉を上下方向から挟み込んだ固定状態にする引寄せ軸材と
を備えたものからなって、
前記抜止め材は、前記リップ部を挟み込んで梁への取付け状態を形成する本固定用肉挟み部と、根太の開口部の根太長さ方向における根太端部の側とは反対の側の端部の縁部を挟み込む仮固定用肉挟み部とを備え、
前記取付け金物は、根太の開口部の根太長さ方向における根太端部の側とは反対の側の端部の縁部を、金物本体と抜止め材の仮固定用肉挟み部とが挟み込んで仮固定状態にされており、
この仮固定状態において、金物本体を根太端部の側に叩いて変位させることにより、前記縁部を挟んだ仮固定状態が解除されるようになされており、この解除状態で引寄せ軸材により抜止め材と金物本体とが更に引き寄せ可能で、引き寄せることにより金物本体と抜止め材の本固定用肉挟み部とがリップ部を挟み込んで本固定状態が形成されるようになされていることを特徴とする取付け金物付きの根太。
【請求項２】
前記開口部の根太長さ方向における根太端部の側とは反対の側の端部が、引寄せ軸材の周囲側に張り出す円弧状をしている請求項１に記載の取付け金物付き根太。
【請求項３】
前記開口部の根太長さ方向における根太端部の側とは反対の側の端部に、引寄せ軸材の外周部を半周にわたって沿うように囲む円弧状部が備えられている請求項１に記載の取付け金物付き根太。
【請求項４】
請求項１乃至３のいずれか一に記載の取付け金物付き根太が床板の下面側に取り付けられていることを特徴とする取付け金物付き床パネル。
【発明の詳細な説明】
【技術分野】
【０００１】
本発明は、取付け金物付き根太及び取付け金物付き床パネルに関する。
【背景技術】
【０００２】
床板の下面側に内部空洞の金属製根太を設けた床パネルを梁に取り付ける取付け金物として、該取付け金物を工場等で床パネルの根太に仮固定状態に先付けしておき、現場では、床パネルの根太を床梁に支承された状態で上向き作業によって取付け金物のネジを緩めて仮固定状態を解除し、床梁を挟んだ状態にして、ネジを締めて本固定状態にするというようにして床パネルの根太を床梁に取り付けることができるようにしたものは、従来より提供されている。
【特許文献１】特開２００５−１０５６３８号公報
【発明の開示】
【発明が解決しようとする課題】
【０００３】
しかしながら、上記のような取付け金物付き床パネルでは、床パネルに先付けした取付け金物のネジを、現場で、一旦緩め、そして、その後に締め直さなければならず、現場での作業を厄介なものにしてしまうという問題がある。
【０００４】
本発明は、上記のような問題点に鑑み、現場での梁への取付け作業を容易にすることができる取付け金物付き根太及び取付け金物付き床パネルを提供することを課題とする。
【課題を解決するための手段】
【０００５】
上記の課題は、根太を梁に取り付ける取付け金物付きの根太であって、
根太は、内部空洞の金属製のものからなって、端部側の底面部に開口部を有すると共に、開口部の根太幅方向の両側部に内向きに張り出すリップ部を有し、
取付け金物は、
根太の下面側に配置され、根太との協働により梁を上下方向から挟んだ取付け状態にする金物本体と、
根太の内部に配置される抜止め材と、
金物本体と抜止め材を前記根太の開口部を通じて連結し、根太の下方からの操作が可能で、抜止め材と金物本体とを引き寄せ、抜止め材と金物本体とで根太の下面側の肉を上下方向から挟み込んだ固定状態にする引寄せ軸材と
を備えたものからなって、
前記抜止め材は、前記リップ部を挟み込んで梁への取付け状態を形成する本固定用肉挟み部と、根太の開口部の根太長さ方向における根太端部の側とは反対の側の端部の縁部を挟み込む仮固定用肉挟み部とを備え、
前記取付け金物は、根太の開口部の根太長さ方向における根太端部の側とは反対の側の端部の縁部を、金物本体と抜止め材の仮固定用肉挟み部とが挟み込んで仮固定状態にされており、
この仮固定状態において、金物本体を根太端部の側に叩いて変位させることにより、前記縁部を挟んだ仮固定状態が解除されるようになされており、この解除状態で引寄せ軸材により抜止め材と金物本体とが更に引き寄せ可能で、引き寄せることにより金物本体と抜止め材の本固定用肉挟み部とがリップ部を挟み込んで本固定状態が形成されるようになされていることを特徴とする取付け金物付きの根太によって解決される（第１発明）。
【０００６】
この取付け金物付き根太では、仮固定状態において、金物本体を根太端部の側に叩いて変位させることにより仮固定状態が解除され、この解除状態で引寄せ軸材により抜止め材と金物本体とが更に引き寄せ可能で、引き寄せることにより金物本体と抜止め材の本固定用肉挟み部とがリップ部を挟み込んで本固定状態が形成されるようになされているので、現場では、根太を梁に支承させた後、金物本体を根太端部の側に叩いて変位させ、引寄せ軸材で抜止め材と金物本体とを引き寄せるだけで、本固定状態が形成されて根太が梁に取り付けられ、現場での梁に対する根太の取付け作業を容易にすることができる。
【０００７】
特に、仮固定状態を解除した状態で、抜止め材と金物本体とは引寄せ軸材により更に引き寄せ可能な構造にされていることにより、解除状態における取付け金物を梁への取付け位置に抵抗少なく容易に動かしていくことができ、梁への取付けを容易にすることができる。
【０００８】
第１発明において、前記開口部の根太長さ方向における根太端部の側とは反対の側の端部が、引寄せ軸材の周囲側に張り出す円弧状をしているとよい（第２発明）。
【０００９】
この場合は、該端部が円弧状をしていることにより、仮固定状態における金物本体と抜止め材とによる該端部の縁部の挟み代を広くすることができて、しっかりとした仮固定状態を形成することができる。
【００１０】
第１発明において、前記開口部の根太長さ方向における根太端部の側とは反対の側の端部に、引寄せ軸材の外周部を半周にわたって沿うように囲む円弧状部が備えられているとよい（第３発明）。
【００１１】
この場合は、該円弧状部が引寄せ軸材の外周部を半周にわたって沿うようになされているので、仮固定状態における金物本体と抜止め材とによる該端部の縁部の挟み代をより一層広くすることができて、より一層しっかりとした仮固定状態を形成することができる。
【００１２】
また、上記の課題は、上記の第１乃至第３の発明のいずれか一の取付け金物付き根太が床板の下面側に取り付けられていることを特徴とする取付け金物付き床パネルによっても、同様に解決される。
【発明の効果】
【００１３】
本発明の取付け金物付き根太及び床パネルは、以上のとおりのものであるから、現場での梁への取付け作業を容易にすることができる。
【発明を実施するための最良の形態】
【００１４】
次に、本発明の実施最良形態を図面に基づいて説明する。
【００１５】
図１及び図２に示す第１実施形態の取付け金物２付き根太４は、床板３の下面側に予め取り付けられて、床パネル１を構成し、取付け金物２は、該床パネル１を、図３（ロ）に示すような、上下のフランジとこれらフランジをつなぐウェブとを備えたＨ形鋼からなる床梁２２の上フランジ２２ａに取り付けるのに用いられるものである。
【００１６】
根太４は、内部空洞の金属材、例えば、図示するような角形鋼管材からなっていて、端部側の底面部には開口部６が設けられ、該開口部６の根太幅方向の両側部には内向きに張り出すリップ部２４，２４が備えられており、根太長さ方向における根太端部の側とは反対の側の端部６ａは円弧状に形成されている。
【００１７】
取付け金物２は、金物本体７と、抜止め材８と、引寄せ軸材としてのボルト９とで構成されている。なお、１０はワッシャー、１１はゴムリングである。
【００１８】
金物本体７は、根太４の下面側に配置され、根太４との協働により床梁２２の上フランジ２２ａを上下方向から挟んだ取付け状態にするもので、１２は梁挟込み用の爪部であり、該爪部１２の基端側にはボルト通孔１６が設けられると共に、ボルト通孔１６を挟む左右両側に、対の立ち上がり板部１５，１５が設けられ、各立ち上がり板部１５，１５の上端部に外方に張り出す水平な対の肉挟み用板部１４，１４が設けられ、各肉挟み用板部１４，１４の外方端部に対の回り止め用脚板部１３，１３が上方に突出するように設けられたものからなり、対の肉挟み用板部１４，１４が、根太４の底面部に設けられた開口部６を挟むリップ部２４，２４の下面部に当接し、回り止め用脚板部１３，１３が根太４の両側面部に沿って回り止め状態が形成されるようになされている。
【００１９】
抜止め材８は、ボルト９の螺合が可能なネジ孔２０を有すると共に仮固定用の肉挟み部として機能する底板部１９を備え、該底板部１９の左右両側部に対の立ち上がり板部１８，１８が設けられ、該立ち上がり板部１８，１８の上端部に水平両方向に張り出す対の抜止め板部１７，１７が設けられたものからなっていて、抜止め板部１７の張出し板部１７ａ…を本固定用の肉挟み部としたものからなっている。
【００２０】
該抜止め材８は、抜止め板部１７，１７の延びる方向を根太４の開口部６の長さ方向に向けた状態にすることにより、該開口部６を通じてその全体を根太４の内部に挿入配置することができるようになされている。
【００２１】
上記の金物本体７と抜止め材８とは、ボルト９を、その頭部を下にして金物本体７の下面側からボルト通孔１６に通し、先端側を抜止め材８のネジ孔２０に螺合することで、取付け金物２に構成される。
【００２２】
抜止め材８は、その立ち上がり板部１８，１８を金物本体７の立ち上がり板部１５，１５と平行に向けた状態、及び、直交するように向けた状態で、底板部１９と立ち上がり板部１８，１８とが、金物本体７の対の回り止め用脚板部１３，１３間を通じて立ち上がり板部１５，１５間に落ち込むことができるようになされており、抜止め材８の立ち上がり板部１８，１８を金物本体７の立ち上がり板部１５，１５と直交するように向けた状態で、抜止め材８の底板部１９と金物本体７の肉挟み用板部１４，１４とで根太４の底面開口部６の円弧状端部６ａの縁部を挟み込んだ仮固定状態を形成することができると共に、上記の落ち込みで、抜止め材８の張出し部１７ａ，１７ａと金物本体７の肉挟み用板部１４，１４とで根太４の底面開口部６を挟む両側のリップ部２４，２４を上下方向から挟み込んだ本固定状態を形成することができるようになされている。
【００２３】
上記の取付け金物２は、次のようにして、床パネル１の根太４に仮固定状態に取り付けられ、図２に示すような取付け金物２付き床パネル１を構成する。即ち、図５（イ）に示すように、取付け金物２の抜止め材８の抜止め用板部１７，１７を根太４の延びる方向に向け、開口部６を通じて根太４内に挿入配置し、図５（ロ）に示すように、ボルト９の頭部を回転操作して、抜止め材８を追従回転させると、抜止め材８の抜止め板部１７，１７の張出し部が根太４の内壁に当接し、抜止め材８は回転を規制され、ボルト９の回転で、金物本体７と抜止め材８とが引き寄せられていく。なお、図４（ハ）に示すように、ボルト９を逆回転させても、抜止め材８の抜止め板部１７，１７の張出し部が根太４の内壁に当接し、抜止め材８は回転を規制され、ボルト９の回転で、金物本体７と抜止め材８とを離していくこともできるようになされている。
【００２４】
取付け金物２を、図２に示すように、開口部６の円弧状端部６ａの側に位置させ、ボルト９を円弧状端部６ａに近接又は当接させた状態で、上記の引寄せを行っていくと、抜止め材８の底板部１９の１９ａの部分が円弧状端部６ａの縁部に当接し、金物本体７の肉挟み用板部１４，１４が根太４の下面側に当接し、これら底板部１９の１９ａで示す部分と肉挟み用板部１４，１４とで円弧状端部６ａの縁部２１が挟み込まれて仮固定状態が形成される。
【００２５】
この仮固定状態では、開口部６の端部６ａが上記のように円弧状をしているので、抜止め材８の底板部１９による挟み代２１が広く確保され、しっかりとした仮固定状態が形成される。
【００２６】
５はクッション材で、根太４の端部下面に取り付けられて根太４と床梁２２の上フランジ２２ａとの間の介設されるもので、仮固定状態の取付け金物２は、このクッション材５よりも下方に突出するように備えられ、床パネル１を、運搬、保管等において、図３（イ）に示すように、積み上げ状態にしたときに、取付け金物２が、クッション材５を守るスペーサーとして機能するようになされている。
【００２７】
上記の床パネル１は、現場において、クレーン等で吊られて、図３（ロ）に示すように、根太４の端部をクッション材５を介して床梁２２の上フランジ２２ａの上面に支承させた後、次のようにして、床梁２２に取り付けられる。
【００２８】
即ち、図４（イ）に示すように、ハンマー２３で取付け金物２の金物本体７を根太４の端部方向に向けて叩く。すると、抜止め材８の底板部１９が、開口部６の円弧状端部６ａの縁部を滑って該縁部６ａから外れ、仮固定解除状態になり、抜止め材８の底板部１９と立ち上がり板部１８，１８とが根太４の開口部６を通じて下方に落ち込み、抜止め材８の張出し部１７ａ…が、根太４の開口部６を挟む両側のリップ部２４，２４に支承された状態になる。
【００２９】
その状態で、取付け金物２を、図４（ロ）に示すように、床梁２２の側に動かしていき、床梁２２の上フランジ２２ａを根太４と取付け金物２の爪部１２とで挟んだ状態にし、そして、図４（ハ）に示すように、上向き作業でボルト９の頭部を回転させ、抜止め材８と金物本体７とを互いに引き寄せていけば、抜止め材８の張出し部１７ａ…と、金物本体７の肉挟み用板部１４とが、根太４の開口部６の両サイドのリップ部２４を挟みこんで本固定状態となり、同時に、取付け金物２の爪部１２と根太４とが床梁２２の上フランジ部２２ａを挟み込んだ取付け状態が形成される。
【００３０】
このように上記の取付け金物２付き床パネル１によれば、仮固定状態の取付け金物２の金物本体７を叩いて仮固定状態を解除し、そして、ボルト９を回転させて抜止め材８と金物本体７とを更に引き寄せていけば、金物本体７の肉挟み用板部１４と抜止め材８の張出し部１７ａ…とが根太４のリップ部２４を挟み込んで本固定状態が形成され、床パネル１が床梁２２に固定状態に取り付けられるようになされているので、現場での梁２２への床パネル１の取付け作業を容易にすることができる。
【００３１】
特に、仮固定状態を解除した状態で、抜止め材８と金物本体７とはボルト９により更に引き寄せ可能な構造になっていることにより、解除状態における取付け金物２を床梁２２への取付け位置に抵抗少なく容易に動かしていくことができて、床梁２２への取付けを容易にすることができる。
【００３２】
図６に示す第２実施形態の取付け金物２付き床パネル１は、根太４の開口部６の根太長さ方向における根太端部の側とは反対の側の端部に、ボルト９の軸部外周部を半周にわたって沿うように囲む円弧状部６ｂが備えられており、円弧状部６ｂをボルト９の軸部外周部に半周にわたって沿わせるようにすることで、仮固定状態における金物本体７と抜止め材８の底板部１９とによる該円弧状部６ｂの縁部の挟み代２１をより一層広くすることができ、より一層しっかりとした仮固定状態を形成することができる。
【００３３】
以上に、本発明の実施形態を示したが、本発明はこれに限られるものではなく、発明思想を逸脱しない範囲で各種の変更が可能である。例えば、上記の実施形態では、床板３の下面側に根太４が備えられた床パネル１の根太に取付け金物２を仮固定状態に固定した、取付け金物２付き床パネル１に構成した場合を示したが、床板無しの根太の端部に取付け金物を仮固定状態に取り付けた取付け金物付きの根太として構成されてもよい。
【００３４】
また、上記の実施形態では、取付け金物２として、特定形態の金物本体７と、特定形態の抜止め材８と、ボルト９による引寄せ軸材を用いた場合を示したが、金物本体や抜止め材、引寄せ軸材の具体的形態に制限はなく、各種形態のこれら部品で構成された取付け金物であってよい。
【００３５】
また、上記の実施形態では、取付け金物２の抜止め材８を根太４の開口部６を通じて根太４内に挿入配置することで、取付け金物２を根太４に取り付けることができるようになされている場合を示したが、金物本体に通したボルトを開口部を通じて根太内に挿入し、根太の端部開口から抜止め材を根太内のボルトに螺合させるというようにして、取付け金物を根太に取り付けるようになされたものであってもよい。
【図面の簡単な説明】
【００３６】
【図１】第１実施形態の取付け金物付き床パネルを示すもので、図（イ）は床パネルと取付け金物とを分離状態にして示す一部切欠き断面斜視図、図（ロ）は取付け金物の分解斜視図である。
【図２】図（イ）は取付け金物が仮固定状態で備えられた取付け金物付き床パネルり断面正面図、図（ロ）は同断面平面図、図（ハ）は要部拡大断面平面図である。
【図３】図（イ）は取付け金物付き床パネルを複数積み上げ状態にした正面図、図（ロ）は取付け金物付き床パネルを梁上に設置した状態の断面正面図である。
【図４】図（イ）〜図（ハ）は、取付け金物で床パネルの根太を床梁に取り付ける方法を順次に示す断面正面図である。
【図５】図（イ）〜図（ハ）はそれぞれ根太の開口部と抜止め材との関係を示す断面平面図である。
【図６】第２実施形態を示すもので、図（イ）は根太の斜視図、図（ロ）〜図（ニ）は取付け金物を根太に対して仮固定状態に取り付ける方法を順次に示す断面平面図、図（ホ）は仮固定状態を示す断面平面図である。
【符号の説明】
【００３７】
１…床パネル
２…取付け金物
３…床板
４…根太
６…開口部
６ａ…円弧状端部
６ｂ…円弧状部
７…金物本体
８…抜止め材
９…ボルト（引寄せ軸材）
１４…肉挟み用板部
１７…抜止め板部
１７ａ…張出し部（本固定用の肉挟み部）
１９…底板部（仮固定用の肉挟み部）
２２…床梁（梁）
２４…リップ部
【図１】
2008150921.tif 000003
【図２】
2008150921.tif 000004
【図３】
2008150921.tif 000005
【図４】
2008150921.tif 000006
【図５】
2008150921.tif 000007
【図６】
2008150921.tif 000008